(57)【要約】      （修正有）【課題】ヒータパネルの大きさを標準的な大きさのままとして物流や施工面に配慮し、更に費用対効果を含めて広い部屋への対応が出来るフロア一体型床暖房装置を提供する。【解決手段】  ヒータパネルを２枚とした列と３枚とした列を交互に配設すると共に隣り合う列のヒータパネルがちどり状になるようにし、各列に於ける一方側の各ヒータパネルの隣り合う面状発熱体を中継コードでもって接続すると共にケーブルと電気的に接続可能とし、他方側の各ヒータパネルの隣り合う面状発熱体に於いても中継コードでもって接続すると共に他のケーブルと電気的に接続可能とし、且つ前記各列を２系統に分け、各系統ごとに各面状発熱体をケーブルと電気的に接続可能し、前記３枚とした列に於いては、一方側のヒータパネルと中央に位置するヒータパネルの面状発熱体を電気的に接続して、前記２系統の列それぞれに用いられている２本のケーブルをコントローラに接続する。【選択図】          図８
2005233590.tif 000002
【特許請求の範囲】
【請求項１】
フロア部材の内部に面状発熱体を有する平面視長方形のヒータパネルを横方向に複数枚横設して、これを複数列使用する床暖房装置に於いて、ヒータパネルを２枚とした列と３枚とした列を交互に配設すると共に隣り合う列のヒータパネルがちどり状になるようにし、３枚とした列の中央を除く両側のヒータパネルの面状発熱体を他のヒータパネルの面状発熱体の略半分の長さとして、この面状発熱体をヒータパネルの列中央側に収容するようにし、各列に於ける一方側の各ヒータパネルの隣り合う面状発熱体をジョイントボックスを介して中継コードでもって接続すると共にケーブルと電気的に接続可能とし、他方側の各ヒータパネルの隣り合う面状発熱体に於いてもジョイントボックスを介して中継コードでもって接続すると共に他のケーブルと電気的に接続可能とし、且つ前記各列を２系統に分け、各系統ごとに各面状発熱体をケーブルと電気的に接続可能し、前記３枚とした列に於いては、一方側のヒータパネルと中央に位置するヒータパネルの面状発熱体を電気的に接続して、前記２系統の列それぞれに用いられている２本のケーブルをコントローラに接続するようにしたことを特徴とするフロア一体型床暖房装置。
【請求項２】
各列に於ける隣り会うヒータパネルの面状発熱体の電気的接続を中継コードと前記ヒータパネルに配設したジョイントボックスとで行うと共に３枚とした列に於ける一方側のヒータパネルと中央に位置するヒータパネルの面状発熱体の電気的接続をコネクタによって行なうようにしたことを特徴とする請求項１記載のフロア一体型床暖房装置。
【発明の詳細な説明】
【技術分野】
【０００１】  面状発熱体を使用する床暖房装置であって、特にフロア部材と一体化させた床暖房装置に関するものである。
【背景技術】
【０００２】  フロア部材と一体化させた床暖房装置即ちフロア一体型床暖房装置は、価格的な面と暖房効果等により、既に一般家庭に於いても広く利用されている。しかも近年に於いては改善改良が加えられていることもあり、利用する家庭も益々多くなっている。【０００３】  図１２は従来のフロア一体型床暖房装置に於けるヒータパネル敷設例を示す平面図であるが、３種類のヒータパネルを使用したものとなっている。１つはフロア部材裏面の略全面に面状発熱体を有したヒータパネルＰａであり、２つ目は略半分の長さの面状発熱体を左側に有するヒータパネルＰｂ、そして３つ目がヒータパネルＰｂとは反対側である右側に面状発熱体を有するヒータパネルＰｃである。図１２に示す従来技術の例では暖房機能を有するパネル即ちフロア部材の裏面に面状発熱体を有するヒータパネルが２列目から８列目まで使用されていて、２列目では左側から暖房機能を持たない通常のパネル、次がヒータパネルＰａ、そしてヒータパネルＰｂの順で配設され、３列目ではヒータパネルＰｃ、ヒータパネルＰａ、通常のパネルの順となっている。同様に３列以降が配設され、８列目はヒータパネルＰｃ、ヒータパネルＰａ、通常のパネルの順となる。そしてこの様な配設方法とすることで、各ヒータパネルはちどり状に敷設されることになる。３種類のヒータパネルを使用するのは部品点数を多くすることから、一見合理的ではないように考えられ、更にそれをちどり状に敷設するのは施工上面倒であると考えられるが、これはヒータパネル敷設後の強度的配慮や床鳴り防止そして美観上の観点から成された方法である。その理由は、単一のヒータパネル例えばヒータパネルＰａのみを使用した場合は、ヒータパネルの継目（合わせ目）が直線になり、床側における根太に継目が集中するため強度が下がること、更に継目が直線になることから、上からの荷重により多少撓みやすくなり、継目が擦れて床鳴りの原因になることである。それでは単一のヒータパネルを使用してちどり状的に位置をずらして敷設した場合を考えてみよう。この場合は、敷設後の暖房面が図１２に示したように方形（斜線部分）とならず、ジグザグ状になり、暖房効率を悪くしてしまう。こうしたことからフロア一体型床暖房装置に於いては、３種類のヒータパネルを使用してちどり状に敷設することとなるのである。又、ヒータパネルの大きさ（平面視に於ける縦、横の長さ）は使用する部屋の広さ（４．５畳、６畳、８畳、１０畳）と暖房効率を考慮して標準的な大きさとなっている。即ちヒータパネルＰａ、Ｐｂ、Ｐｃの大きさは、縦３０３ｍｍ×横１８１８ｍｍで、該ヒータパネルＰａ、Ｐｂ、Ｐｃに使用される面状発熱体の大きさは、縦、横共に僅かに小さくなっていて、前述した通り、ヒータパネルＰｂ、Ｐｃに使用する面状発熱体の横方向長さは、ヒータパネルＰａの略半分となっている。この様にすることで、３種類のヒータパネルで暖房効率を考慮しながら広さの異なる各部屋に対応出来るようにしているのである。
【発明の開示】
【発明が解決しようとする課題】
【０００４】  上述したように、従来技術では標準的な大きさの３種類のヒータパネルを使用して暖房効率を考慮しながら広さの異なる各部屋に対応出来るようになっている。【０００５】  然しながら、標準的な大きさのヒータパネルでは、更に大きな部屋例えば１２畳或いはもっと大きな部屋への対応が充分に出来なくなる。床暖房装置特にフロア一体型床暖房装置に於いては、設置する部屋全体にヒータパネルを敷設するのではなく、費用対効果を考えて、部屋の面積の６０％とか７０％を敷設するようになる。勿論敷設部分は効果的な部屋の中央部分であって、この様な諸々の条件をも加味してヒータパネルの大きさが設定されているのであるが、１２畳以上の広さや規格（８畳とか１０畳等）外の広さの部屋になると、現在の標準的なヒータパネルでは費用対効果等を含めた充分なる対応は出来なくなる。その対応として単純にヒータパネルの大きさを変えることが考えられる。例えば横方向の長さを大きくしたり、縦横双方の長さを大きくしたりすることも１つの方法であるが、物流や施工面で少なからず悪影響が発生する。即ちヒータパネルを大きくすることで、搬送時の取扱いが面倒になるばかりか、搬送する数量も少なくする必要があり、その為搬送回数が増加してしまう。更に施工時においても作業性が悪くなる等の問題が起こってくる。【０００６】  本発明は、こうした従来技術に鑑み、ヒータパネルの大きさを標準的な大きさのままとして物流や施工面に配慮し、更に費用対効果を含めて広い部屋への対応が出来るフロア一体型床暖房装置を提供することを目的としている。
【課題を解決するための手段】
【０００７】  上記目的を達成するために、請求項１記載の発明は、フロア部材の内部に面状発熱体を有する平面視長方形のヒータパネルを横方向に複数枚横設して、これを複数列使用する床暖房装置に於いて、ヒータパネルを２枚とした列と３枚とした列を交互に配設すると共に隣り合う列のヒータパネルがちどり状になるようにし、３枚とした列の中央を除く両側のヒータパネルの面状発熱体を他のヒータパネルの面状発熱体の略半分の長さとして、この面状発熱体をヒータパネルの列中央側に収容するようにし、各列に於ける一方側の各ヒータパネルの隣り合う面状発熱体をジョイントボックスを介して中継コードでもって接続すると共にケーブルと電気的に接続可能とし、他方側の各ヒータパネルの隣り合う面状発熱体に於いてもジョイントボックスを介して中継コードでもって接続すると共に他のケーブルと電気的に接続可能とし、且つ前記各列を２系統に分け、各系統ごとに各面状発熱体をケーブルと接続可能とし、前記３枚とした列に於いては、一方側のヒータパネルと中央に位置するヒータパネルの面状発熱体を電気的に接続して、前記２系統の列それぞれに用いられている２本のケーブルをコントローラに接続するようにしたものである。この様に構成したことにより、ヒータパネル単体は標準的な大きさを保持して物流や持ち運びそして取扱いを良好としたまま大きな部屋への対応が出来るようになり、しかも費用対効果のバランスの取れたフロア一体型床暖房装置を提供することが出来る。【０００８】  請求項２記載の発明は、各列に於ける隣り会うヒータパネルの面状発熱体の電気的接続を中継コードと前記ヒータパネルに配設したジョイントボックスとで行い、３枚とした列に於ける一方側のヒータパネルと中央に位置するヒータパネルの面状発熱体の電気的接続をコネクタによって行なうようにしたものである。この様に構成したことにより、各列に於ける隣り会うヒータパネルの面状発熱体の接続や横設するヒータパネル同士の面状発熱体の接続が容易になり、敷設作業に於ける電気的結線を簡単に行えるフロア一体型床暖房装置を提供することが出来る。
【発明の効果】
【０００９】  本発明は、以上説明したように構成されているので、下記に説明するような効果を奏する。【００１０】  本発明によるフロア一体型床暖房装置は、フロア部材の内部に面状発熱体を有する平面視長方形のヒータパネルを横方向に複数枚横設して、これを複数列使用する床暖房装置に於いて、ヒータパネルを２枚とした列と３枚とした列を交互に配設すると共に隣り合う列のヒータパネルがちどり状になるようにし、３枚とした列の中央を除く両側のヒータパネルの面状発熱体を他のヒータパネルの面状発熱体の略半分の長さとして、この面状発熱体をヒータパネルの列中央側に収容するようにし、各列に於ける一方側の各ヒータパネルの隣り合う面状発熱体をジョイントボックスを介して中継コードでもって接続すると共にケーブルと電気的に接続可能とし、他方側の各ヒータパネルの隣り合う面状発熱体に於いてもジョイントボックスを介して中継コードでもって接続すると共に他のケーブルと電気的に接続可能とし、且つ前記各列を２系統に分け、各系統ごとに各面状発熱体をケーブルと接続可能とし、前記３枚とした列に於いては、一方側のヒータパネルと中央に位置するヒータパネルの面状発熱体を電気的に接続して、前記２系統の列それぞれに用いられている２本のケーブルをコントローラに接続するようにしたので、ヒータパネル単体は標凖的な大きさを保持して物流や持ち運びそして取扱いを良好としたまま大きな部屋への対応が出来るようになり、費用対効果のバランスも取れていて、その上広い部屋ばかりでなく、種々の部屋への対応も出来る。【００１１】  更に、本発明によるフロア一体型床暖房装置は、各列に於ける隣り会うヒータパネルの面状発熱体の電気的接続を中継コードと前記ヒータパネルに配設したジョイントボックスとで行い、３枚とした列に於ける一方側のヒータパネルと中央に位置するヒータパネルの面状発熱体の電気的接続をコネクタによって行なうようにしたので、各列に於ける隣り会うヒータパネルの面状発熱体の接続や横設するヒータパネル同士の面状発熱体の接続が容易になり、敷設作業に於ける電気的結線が簡単に行なえることから、施工時の工数を低減することが出来る。
【発明を実施するための最良の形態】
【００１２】  以下、本発明の実施の形態を図１〜図１１に基づき詳細に説明する。図１は本発明によるフロア一体型床暖房装置に於けるヒータパネルの基本的構造の一実施例を示し、裏側より見た時の平面状態図であり、図２は本発明によるフロア一体型床暖房装置に使用する各ヒータパネルの一実施例を示し、該ヒータパネルを裏側から見た時の平面状態簡略図であって、各ヒータパネルの主な特徴点を示す説明図であり、（ａ）はヒータパネルに於ける面状発熱体の左側端部に切欠部を設けたもの、（ｂ）はヒータパネルに於ける面状発熱体の右側端部に切欠部を設けたもので、（ｃ）はヒータパネルに於ける面状発熱体の左側端部に切欠部を設けたもの、（ｄ）はヒータパネルの長手方向に於いて面状発熱体を右側半分の長さとし、両側端部に切欠部を設けたもの、（ｅ）はヒータパネルの長手方向に於いて面状発熱体を左側半分の長さとし、右側端部に切欠部を設けたものである。図３は図１のＡ−Ａ断面図、図４は図２のＢ−Ｂ断面図、図５は図２のＣ−Ｃ断面図、図６は図２のＤ−Ｄ断面図、図７は図２のＥ−Ｅ断面図であり、図８は本発明によるフロア一体型床暖房装置の一実施例（敷設例）を裏側から見た時の平面状態図、図９は図８のＸ部拡大詳細図、図１０は図８のＹ部拡大詳細図であり、図１１は面状発熱体の電流の流れを示す簡略図である。【００１３】  図１及び図３により本発明によるヒータパネル１の基本的構造について説明する。該ヒータパネル１は、木材等で作られた平面視長方形のフロア部材２と面状発熱体４そして断熱材３とで構成され、前記面状発熱体４は導電性の発熱体であるＰＴＣインク層を平板状に形成し、このＰＴＣインク層の両面を絶縁フィルムでサンドイッチ状に挟み込んだ状態となっていて、ＰＴＣインク層のフロア部材２側表面長手方向には細長い銅箔製のリボンである電極５，６，７，８が略等間隔で平行に配設固着されており、厚さは０．６ｍｍ程の極薄い板状を呈している。フロア部材２の裏面には広く平坦な凹部が形成されており、面状発熱体４と断熱材３を収容するようになっていて、収容後蓋体１１でもって閉鎖するようになっている。又、場合によっては蓋体を使用せずに接着剤等により固着することも可能である。【００１４】  ヒータパネル１は上述したような基本的構造を持ったものであるが、本発明によるフロア一体型床暖房装置に於いては、前記ヒータパネル１を部分的に変更した５種類のヒータパネル１ａ、１ｂ、１ｃ、１ｄ、１ｅを使用することになるが、総体的には、フロア部材の内部に面状発熱体を有する平面視長方形のヒータパネルを横方向に複数枚横設して、これを複数列使用する床暖房装置に於いて、ヒータパネルを２枚とした列と３枚とした列を交互に配設すると共に隣り合う列のヒータパネルがちどり状になるようにし、３枚とした列の中央を除く両側のヒータパネルの面状発熱体を他のヒータパネルの面状発熱体の略半分の長さとして、この面状発熱体をヒータパネルの列中央側に収容するようにし、各列に於ける一方側の各ヒータパネルの隣り合う面状発熱体をジョイントボックスを介して中継コードでもって接続すると共にケーブルと電気的に接続可能とし、他方側の各ヒータパネルの隣り合う面状発熱体に於いてもジョイントボックスを介して中継コードでもって接続すると共に他のケーブルと電気的に接続可能とし、且つ前記各列を２系統に分け、各系統ごとに各面状発熱体をケーブルと電気的に接続可能し、前記３枚とした列に於いては、一方側のヒータパネルと中央に位置するヒータパネルの面状発熱体を電気的に接続して、前記２系統の列それぞれに用いられている２本のケーブルをコントローラに接続するようにした構成を持つものである。【００１５】  以下、その構成の詳細を説明するが、まず図２により本発明によるフロア一体型床暖房装置のヒータパネルについて説明する。ヒータパネル１ａは図２（ａ）及び図４に示すようにフロア部材２ａ裏面の略全体に形成された凹部に収容された面状発熱体４ａと断熱材３ａの左側端部に切欠部１２ａを形成し、該切欠部１２ａの上側と下側のフロア部材２ａの側部に溝部１３ａ、１４ａを設けたものである。ヒータパネル１ｂは図２（ｂ）で理解されるように、ヒータパネル１ａと反対側即ち右側端部に切欠部１２ｂが形成され、該切欠部１２ｂの上側と下側のフロア部材２ｂの側部には溝部１３ｂ、１４ｂが設けられている。次にヒータパネル１ｃについて説明する。図２（ｃ）及び図５に示すように、フロア部材２ｃ裏面の凹部に収容された面状発熱体４ｃと断熱材３ｃの左側端部に切欠部１５ｃが形成され、該切欠部１５ｃに対応するフロア部材２ｃの側部には溝部１６ｃが形成されている。図２（ｄ）及び図６には、フロア部材２ｄ裏面の略全体に形成された凹部の右側の略半分に収容された面状発熱体４ｄと断熱材３ｄの左側端部に切欠部１２ｄが形成され、面状発熱体４ｄと断熱材３ｄの右側端部に前記切欠部１５ｃと同様の切欠部１５ｄそして該切欠部１５ｄに対応するフロア部材２ｄの側部には溝部１６ｄが形成されているヒータパネル１ｄが示されている。図２（ｅ）及び図７はヒータパネル１ｅを示すもので、前記ヒータパネル１ｄと反対側即ちフロア部材２ｅの裏面の凹部の左側の略半分に収容された面状発熱体４ｅと断熱材３ｅの右側端部に前記切欠部１２ａ、１２ｂ、１２ｄと同様の切欠部１２ｅが形成され、該切欠部１２ｅの上側と下側のフロア部材２ｅの側部には溝部１３ｅ、１４ｅが設けられている。【００１６】  前述したように、本発明によるフロア一体型床暖房装置に於いては、５種類のヒータパネルを使用するが、該ヒータパネルの構成部品であるフロア部材、面状発熱体そして断熱材全てを５種類とする必要は無く、例えばフロア部材２ａ、２ｂ、２ｃ、２ｄ、２ｅで異なっているのは側部に形成する溝部１３ａや溝部１６ｃ等の位置であって基本的には同一であるから各フロア部材に必要な溝部を全て織り込み形成することも可能であり、そうすることで単一のフロア部材を共用することも出来る。又、同様の考え方で面状発熱体や断熱材にしても共用化が可能であるので念のため付言して置く。【００１７】  次に、図８を参照しながら、ヒータパネルの敷設方法と結線方法について説明する。ここに示した敷設例は、ヒータパネルを３枚分横方向に並べ、それを１２列とした１２畳用のフロア一体型床暖房装置１００である。１列目と１２列目は暖房機能を持たない通常のパネルであるので、２列目から１１列目のヒータパネル配設を順を追って説明する。２列目は、左側より通常のパネル次いでヒータパネル１ａそしてヒータパネル１ｂ最後に通常のパネルとなっていて、３列目は、ヒータパネル１ｄ、ヒータパネル１ｃ、ヒータパネル１ｅの順となっている。４、６、８，１０各列は前記２列目と、又５、７、９、１１各列は前記３列目と同じ配設順となっているので、細述は省略する。この様に敷設されたヒータパネルの結線は後述するように２列目〜６列目と７列目〜１１列目までの２系統換言すれば２つの回路で行なわれるが、これはユーザーである一般家庭の標準的なサブブレーカ容量から、暖房装置としては２０アンペア以下に押えるよう配慮しているからである。尚、図８を１２畳用として取り上げたのは実施例としてであり、もっと広い部屋或いは小さな部屋へも敷設可能であるのは云うまでもない。更に付言すれば、結線は必ずしも２系統とする必要は無く、例えば小さな部屋に敷設し、使用する電気が２０アンペア以下となるような場合は１系統であっても良い。重ねて付言するが、本発明によるフロア一体型床暖房装置は、大きな部屋への対応を狙って開発したものであるが、小さな部屋への対応も出来るということである。【００１８】  それでは初めに、図８及び図８のＸ部拡大詳細図でケーブル１０５と中継コード１０８そしてジョイントボックス１０７との関係を示す図９（ケーブル１０３、ケーブル１０４そしてケーブル１０６と中継コード１０８そしてジョイントボックス１０７との関係はケーブル１０５と中継コード１０８との関係と同じであるので省略してある。）を合わせて参照し、ケーブル１０５とケーブル１０３によって行なわれる第一の回路について説明する。２列目と４列目そして６列目の一方側のヒータパネル１ａそれぞれに形成された切欠部１２ａと３列目と５列目のヒータパネル１ｄそれぞれに形成された切欠部１２ｄに嵌合状態に配設されて、フロア部材側に接着剤等で取り付け固定された各ジョイントボックス１０７は、それぞれ面状発熱体に於ける電極６、７と結線されていて、各列の隣り合うヒータパネル１ａと１ｄはジョイントボックス１０７を介して中継コード１０８でもって電気的に接続されており、２列目に於けるヒータパネル１ａのジョイントボックスの中継コード嵌着側とは反対側にはケーブル１０５が接続されるようになっている。又２列目と４列目そして６列目の他方側のヒータパネル１ｂそれぞれに形成された切欠部１２ｂと３列目と５列目のヒータパネル１ｅそれぞれに形成された切欠部１２ｅに嵌合状態に配設されて、フロア部材側に接着剤等で取り付け固定された各ジョイントボックス１０７は、それぞれ面状発熱体に於ける電極６、７と結線されていて、各列の隣り合うヒータパネル１ｂと１ｅはジョイントボックス１０７を介して中継コード１０８でもって電気的に接続されており、２列目に於けるヒータパネル１ｂのジョイントボックスの中継コード嵌着側とは反対側にはケーブル１０３が接続されるようになっている。こうして各ジョイントボックス及び中継コードを介して各面状発熱体と電気的に接続されたケーブル１０５とケーブル１０３はコントローラ１０１に接続されている。こうした接続方法をとっているのは、交流電源に対応させるためである。更���、中継コード１０８は、各ヒータパネルに形成した溝部１３ａ、１４ａ、１３ｄ、１４ｄに、同様に溝部１３ｂ、１４ｂ、１３ｅ、１４ｅに嵌入するようになっており、ヒータパネル内に収まるよう考慮されていて、安定した敷設を可能としている。しかし、この時点ではまだ完全な接続は完了しておらず、３列目と５列目に於けるヒータパネル１ｄとヒータパネル１ｃとの接続を待たねばならない。図１０は、その接続状態を示すものであり、引き続き説明する。ヒータパネル１ｄ右側端部に形成された切欠部１５ｄとヒータパネル１ｃに形成された切欠部１５ｃには、それぞれジョイントボックス１１０及び１１１が嵌合状態に配設されて、フロア部材側に接着剤等で取り付け固定されており、コネクタ１０９の一端をジョイントボックス１１０に、他端をジョイントボックス１１１に挿入嵌着することで接続を行い、これにより第一の全回路の結線が終了する。この時、ヒータパネル１ｄとヒータパネル１ｃには溝部１６ｄそして１６ｃが形成されているので、コネクタ１０９はヒータパネル１ｄ、１ｃの裏面より突出することがなく、安定した敷設状態を得ることが可能となる。尚、コネクタ１０９は、ヒータパネル１ｄとヒータパネル１ｃとを電気的に連通させるのが役目であり、ジョイントボックス１１０とジョイントボックス１１１へ挿入嵌着させれば良いのであるが、その作業を簡素化する為、ある程度の柔軟性を持たせたり、リンク機構等を用いてワンタッチで行なえるようにすると良い。尚付言すれば、コネクタ１０９は、ヒータパネル１ｄとヒータパネル１ｃとを電気的に連通即ち両ヒータパネルの面状発熱体に於ける電極６，７同士を繋ぐことであるので、２本の導電線を内蔵した単一のコネクタでなく、電極６同士或いは電極７同士を個々に繋ぐコネクタとしても良い。然し、この場合はコネクタを色分けする等の処置をし、必ず正規の電極同士を繋ぐようにする必要がある。【００１９】  次に、第二の回路について説明する。７列目と９列目そして１１列目のヒータパネル１ｄそれぞれに形成された切欠部１２ｄと８列目と１０列目のヒータパネル１ａそれぞれに形成された切欠部１２ａに嵌合状態に配設されて、フロア部材側に接着剤等で取り付け固定された各ジョイントボックス１０７にそれぞれ中継コード１０８を嵌着し、前記第一の回路と同様に電気的に接続し、７列目と９列目そして１１列目のヒータパネル１ｅに形成された切欠部１２ｅと８列目と１０列目のヒータパネル１ｂに形成された切欠部１２ｂに嵌合状態に配設されて、フロア部材側に接着剤等で取り付け固定された各ジョイントボックス１０７へもそれぞれ中継コード１０８を嵌着し、電気的に接続する。更に、７列目と９列目そして１１列目のヒータパネル１ｄとヒータパネル１ｃの面状発熱体は、コネクタ１０９の一端をヒータパネル１ｄ右側端部に形成された切欠部１５ｄに嵌合状態に配設されたジョイントボックス１１０に、他端をヒータパネル１ｃに形成された切欠部１５ｃに嵌合状態に配設されたジョイントボックス１１１に挿入嵌着することで接続が行なわれる。そして１１列目に於けるヒータパネル１ｄのジョイントボックス１０７の中継コード嵌着側とは反対側にはケーブル１０６が接続され、１１列目��於けるヒータパネル１ｅのジョイントボックス１０７の中継コード嵌着側とは反対側にはケーブル１０４が接続される。こうして各ジョイントボックス及び中継コードを介して各ヒータパネルの面状発熱体と電気的に接続されたケーブル１０６とケーブル１０４はコントローラ１０２に接続され、第二の全回路の結線が終了する。尚、ケーブル１０６は、各ヒータパネルに形成した溝部１３ｄ、１４ｄ、１３ａ、１４ａに、ケーブル１０４は同様に溝部１３ｅ、１４ｅ、１３ｂ、１４ｂに嵌入するようになっており、ケーブル１０６、１０４がヒータパネル内に収まるよう考慮されていて、これは前記第一の回路の場合と同様である。【００２０】  それでは、敷設時の電気的接続の内、各列の隣り合うヒータパネルのジョイントボックスと中継コードの接続そして横設されたヒータパネル同士に於けるコネクタの接続について、その作業方法の一例を念のため説明する。その方法は、フロア部材の表面側で各接続部分に相当する部位に作業孔（但し、図示はしていない）を設け、この作業孔を利用して接続作業を行った後、作業孔にきちっと嵌合する蓋をはめ込むものである。【００２１】  続いて、図１１により面状発熱体に於ける電気の流れを、代表例として単一の面状発熱体４を取り上げて説明する。面状発熱体４に一体的に固定されている電極５，６，７，８の内、電極６と電極７がジョイントボックス１０７でもってケーブル側と接続されている。図示しないスイッチを操作して通電させると電流Ｑが矢印の方向に流れ、該電流Ｑはジョイントボックス１０７を経由して面状発熱体４に入り込み、電極６を矢印方向へ進む。それと同時に面状発熱体４が導電性を有している為、隣り合う電極である電極５そして電極７方向へも流れる。こうして電流Ｑは、電極５そして電極６を矢印方向へ進み、端部に於いて方向を変えて電極７と電極８へ進み、電極７に集められた電流Ｒはジョイントボックス１０７及び中継コード１０８を経由してケーブルへ戻る。電気が流れることにより面状発熱体４は昇温する。尚、図８に示すヒータパネル１ｄとヒータパネル１ｃのように、面状発熱体４ｄと面状発熱体４ｃが連接されているような場合でも、電気的に接続されているので、電気の流れは同様であり、説明は省略する。
【図面の簡単な説明】
【００２２】
【図１】本発明によるフロア一体型床暖房装置に於けるヒータパネルの基本的構造の一実施例を示し、裏側より見た時の平面状態図である。
【図２】本発明によるフロア一体型床暖房装置に使用する各ヒータパネルの一実施例を示し、該ヒータパネルを裏側から見た時の平面状態簡略図であって、各ヒータパネルの主な特徴点を示す説明図であり、（ａ）はヒータパネルに於ける面状発熱体の左側端部に切欠部を設けたもの、（ｂ）はヒータパネルに於ける面状発熱体の右側端部に切欠部を設けたもので、（ｃ）はヒータパネルに於ける面状発熱体の左側端部に切欠部を設けたもの、（ｄ）はヒータパネルの長手方向に於いて面状発熱体を右側半分の長さとし、両側端部に切欠部を設けたもの、（ｅ）はヒータパネルの長手方向に於いて面状発熱体を左側半分の長さとし、右側端部に切欠部を設けたものである。
【図３】図１のＡ−Ａ断面図である。
【図４】図２のＢ−Ｂ断面図である。
【図５】図２のＣ−Ｃ断面図である。
【図６】図２のＤ−Ｄ断面図である。
【図７】図２のＥ−Ｅ断面図である。
【図８】本発明によるフロア一体型床暖房装置の一実施例（敷設例）を裏側から見た時の平面状態図である。
【図９】図８のＸ部拡大詳細図である。
【図１０】図８のＹ部拡大詳細図である。
【図１１】面状発熱体の電流の流れを示す簡略図である。
【図１２】従来のフロア一体型床暖房装置に於けるヒータパネル敷設例を示す平面図である。
【符号の説明】
【００２２】    １、１ａ、１ｂ、１ｃ、１ｄ、１ｅ    ヒータパネル
２、２ａ、２ｂ、２ｃ、２ｄ、２ｅ    フロア部材
３、３ａ、３ｂ、３ｃ、３ｄ、３ｅ    断熱材
４、４ａ、４ｃ、４ｄ、４ｅ    面状発熱体
５，６，７，８      電極
９    嵌合凹部
１０    嵌合凸部
１１、１１ａ、１１ｃ、１１ｄ、１１ｅ    蓋体
１２ａ、１２ｂ、１２ｄ、１２ｅ    切欠部
１３ａ、１３ｂ、１３ｄ、１３ｅ    溝部
１４ａ１４ｂ１４ｄ１４ｅ    溝部
１５ｃ、１５ｄ    切欠部
１６ｃ、１６ｄ    溝部
１００    フロア一体型床暖房装置
１０１    コントローラ
１０２    コントローラ
１０３、１０４、１０５，１０６    ケーブル
１０７    ジョイントボックス
１０８    中継コード
１０９    コネクタ
１１０、１１１    ジョイントボックス
Ｐａ、Ｐｂ    ヒータパネル
Ｑ，Ｒ    電流
【図１】
2005233590.tif 000003
【図２】
2005233590.tif 000004
【図３】
2005233590.tif 000005
【図４】
2005233590.tif 000006
【図５】
2005233590.tif 000007
【図６】
2005233590.tif 000008
【図７】
2005233590.tif 000009
【図８】
2005233590.tif 000010
【図９】
2005233590.tif 000011
【図１０】
2005233590.tif 000012
【図１１】
2005233590.tif 000013
【図１２】
2005233590.tif 000014